(57)【要約】【課題】遊休ポンプをより効率良く流通できる流通方法を提供する。【解決手段】一般的に専門的な知識や経験を有する販売事業者のホームページで遊休ポンプの提供者を募集する。遊休ポンプの仕様や使用状況、改造後の販売条件に関する情報を販売事業者のホームページで公開する。ホームページに掲示した遊休ポンプの購入を希望する利用者がホームページ上で購入希望および購入条件を入力する。利用者による購入希望の入力があった後、販売事業者が提供者から遊休ポンプを買い取る。販売事業者が点検、整備、修理あるいは改造して遊休ポンプの仕様を利用者の購入条件に適合させて利用者に販売する。ホームページ上の遊休ポンプを購入条件に適合させて安心して購入できる。【選択図】        図１
2004220268.tif 000002
【特許請求の範囲】
【請求項１】
商品を流通させる流通システムであって、
提供希望者が提供を希望する商品の仕様、およびこの商品の購入を希望する購入希望者の購入条件に適合させた際におけるこの商品の販売条件に関する情報を販売事業者により掲示する情報掲示手段と、
この情報掲示手段から情報を得た購入希望者からのアクセスに応じて、前記情報掲示手段に掲示された前記商品の購入希望および購入条件の入力を前記販売事業者により募集する購入募集手段とを具備し、
これら情報掲示手段および購入募集手段は、前記購入希望者により購入希望および購入条件が入力された前記商品を前記提供希望者から購入し、前記購入条件に前記商品を適合させた後に前記購入希望者に販売する前記販売事業者により提供される
ことを特徴とした流通システム。
【請求項２】
情報掲示手段は、提供希望者から購入した商品を点検、整備、修理および改造の少なくともいずれかをして、この商品を購入条件に適合させた際におけるこの商品の販売条件に関する情報を掲示する
ことを特徴とした請求項１記載の流通システム。
【請求項３】
情報掲示手段は、商品の仕様および販売条件に関する情報を、ネットワークを介して掲示する
ことを特徴とした請求項１または２記載の流通システム。
【請求項４】
購入募集手段は、情報掲示手段に掲示された商品の購入希望および購入条件の入力を、ネットワークを介して募集する
ことを特徴とした請求項１ないし３いずれか記載の流通システム。
【請求項５】
情報掲示手段は、購入希望者へと販売する商品の保証に関する情報を掲示する
ことを特徴とした請求項１ないし４いずれか記載の流通システム。
【請求項６】
商品は、遊休ポンプである
ことを特徴とした請求項１ないし５いずれか記載の流通システム。
【請求項７】
商品を流通させる流通方法であって、
提供希望者が提供を希望する商品の仕様、およびこの商品の購入を希望する購入希望者の購入条件に適合させた際におけるこの商品の販売条件に関する情報を掲示する情報掲示手段を具備し、
この情報掲示手段にて販売事業者から提供された情報を得た前記購入希望者から前記商品の購入希望および購入条件が前記販売事業者へと表明された後に、この販売事業者が前記提供希望者から前記商品を購入し、
この提供希望者から購入した前記商品を前記購入条件に適合させて、この商品を前記販売事業者が前記購入希望者に販売する
ことを特徴とする流通方法。
【請求項８】
提供希望者から購入した商品を少なくとも点検、整備、修理および改造のいずれかをして、この商品を購入条件に適合させる
ことを特徴とする請求項７記載の流通方法。
【請求項９】
商品の仕様および販売条件に関する情報を、ネットワークを介して情報掲示手段にて掲示する
ことを特徴とする請求項７または８記載の流通方法。
【請求項１０】
購入希望者へと提供する商品の保証に関する情報を情報掲示手段にて掲示する
ことを特徴とする請求項７ないし９いずれか記載の流通方法。
【請求項１１】
商品は、遊休ポンプである
ことを特徴とする請求項７ないし１０いずれか記載の流通方法。
【発明の詳細な説明】
【０００１】
【発明の属する技術分野】
本発明は、商品を市場に流通させる流通システムおよび流通方法に関する。
【０００２】
【従来の技術】
従来、この種の流通システムとしての中古品再生提供システムは、提供希望者である買い替えユーザにより提供される不要となった商品である下取り商品を、整備して再生商品として購入希望者であるリサイクルユーザに提供する。具体的には、販売事業者としての家電修理サービス業者が所有するインターネット上のホームページに、再生商品を販売するための売買条件情報と、再生商品の売買条件情報に基づいて整備される再生商品のリサイクルユーザを募集する募集情報とを、家電修理サービス業者が所有するパーソナルコンピュータを用いてインターネットを介して掲示させる。さらに、このパーソナルコンピュータにより、買い替えユーザとリサイクルユーザとの間で締結される売買契約に基づいて下取り商品を整備し、この下取り商品を整備した後の再生商品をリサイクルユーザに販売するための情報を管理させている（例えば、特許文献１参照。）。
【０００３】
【特許文献１】
特開２００２−１５０８４号公報（第４−６頁、図１ないし図３）
【０００４】
【発明が解決しようとする課題】
しかしながら、上記中古品再生提供システムでは、リサイクルユーザが家電修理サービス業者のホームページにアクセスし、このホームページに掲示されている再生商品の購入希望を入力させて、この再生商品を販売する契約を買い替えユーザとリサイクルユーザとの間で締結させている。このため、これら買い替えユーザとリサイクルユーザとの間で再生商品を販売することについての契約を締結させる場合には、この再生商品を購入するリサイクルユーザに対して再生商品の品質を確認することが容易ではなく、この再生商品に品質の保証などをすることが容易ではないから、再生商品を効率良くリサイクルユーザに販売することが容易ではないという問題を有している。
【０００５】
本発明は、このような点に鑑みなされたもので、不要となった商品をより効率良く流通できる流通システムおよび流通方法を提供することを目的とする。
【０００６】
【課題を解決するための手段】
請求項１記載の流通システムは、商品を流通させる流通システムであって、提供希望者が提供を希望する商品の仕様、およびこの商品の購入を希望する購入希望者の購入条件に適合させた際におけるこの商品の販売条件に関する情報を販売事業者により掲示する情報掲示手段と、この情報掲示手段から情報を得た購入希望者からのアクセスに応じて、前記情報掲示手段に掲示された前記商品の購入希望および購入条件の入力を前記販売事業者により募集する購入募集手段とを具備し、これら情報掲示手段および購入募集手段は、前記購入希望者により購入希望および購入条件が入力された前記商品を前記提供希望者から購入し、前記購入条件に前記商品を適合させた後に前記購入希望者に販売する前記販売事業者により提供されるものである。
【０００７】
そして、提供希望者が提供を希望する商品の仕様、およびこの商品の購入を希望する購入希望者の購入条件に適合させた際におけるこの商品の販売条件に関する情報を販売事業者が情報掲示手段にて提供する。また、この情報掲示手段から情報を得た購入希望者からのアクセスに応じて、情報掲示手段に掲示された商品の購入希望および購入条件の入力を販売事業者が購入募集手段にて募集する。そして、購入希望者により購入希望および購入条件が入力されると、この購入希望が入力された商品を提供希望者から販売事業者が購入する。この後、この商品を提供希望者の購入条件に適合させて販売事業者が提供希望者に販売する。したがって、提供希望者が提供を希望する商品を購入条件に適合させる、一般的に専門的な知識や経験を有する販売事業者によって情報提供手段および購入募集手段が提供されるので、この情報提供手段に掲示された商品を購入条件に適合させて安心して販売事業者を介して提供希望者から購入できる。このため、提供希望者が提供を希望する不要となった商品がより効率良く流通する。
【０００８】
請求項２記載の流通システムは、請求項１記載の流通システムにおいて、情報掲示手段は、提供希望者から購入した商品を点検、整備、修理および改造の少なくともいずれかをして、この商品を購入条件に適合させた際におけるこの商品の販売条件に関する情報を掲示するものである。
【０００９】
そして、提供希望者から購入した商品を点検、整備、修理および改造の少なくともいずれかをして、この商品を購入条件に適合させた際におけるこの商品の販売条件に関する情報を情報掲示手段により掲示する。このため、購入希望者が購入を希望する商品の仕様と、提供を希望する商品の仕様とが異なる場合であっても、この商品を少なくとも点検、整備および改造のいずれかをして購入条件に適合させてから販売できる。よって、この商品の購入を希望する購入希望者の枠を大きくできるとともに、この商品をより満足する仕様にできる。
【００１０】
請求項３記載の流通システムは、請求項１または２記載の流通システムにおいて、情報掲示手段は、商品の仕様および販売条件に関する情報を、ネットワークを介して掲示するものである。
【００１１】
そして、商品の仕様および販売条件に関する情報を情報掲示手段にてネットワークを介して掲示させることにより、これら商品の仕様および販売条件に関する情報をより確実かつ迅速に購入希望者に提供できるので、提供希望者が提供を希望する商品がより効率良く流通する。
【００１２】
請求項４記載の流通システムは、請求項１ないし３いずれか記載の流通システムにおいて、購入募集手段は、情報掲示手段に掲示された商品の購入希望および購入条件の入力を、ネットワークを介して募集するものである。
【００１３】
そして、情報掲示手段に掲示された商品の購入希望および購入条件の入力を購入募集手段によってネットワークを介して募集することにより、この商品の購入希望および購入条件の入力の募集が購入希望者に対してより容易かつ迅速になるから、提供希望者が提供を希望する商品がより効率良く流通する。
【００１４】
請求項５記載の流通システムは、請求項１ないし４いずれか記載の流通システムにおいて、情報掲示手段は、購入希望者へと販売する商品の保証に関する情報を掲示するものである。
【００１５】
そして、購入希望者へと販売する商品の保証に関する情報を情報掲示手段にて掲示することにより、購入希望者の購入条件に商品を適合させる販売事業者によって商品が保証されるので、情報提供手段に掲示された商品を安心して販売事業者を介して提供希望者から購入できる。このため、提供希望者が提供を希望する商品がより効率良く流通する。
【００１６】
請求項６記載の流通システムは、請求項１ないし５いずれか記載の流通システムにおいて、商品は、遊休ポンプであるものである。
【００１７】
そして、多種多様の仕様が存在する遊休ポンプを商品とすることにより、この遊休ポンプの仕様を購入希望者の購入条件に適合させて販売できるので、この遊休ポンプの購入を希望する購入希望者の枠を大きくでき、この遊休ポンプが効率良く流通する。
【００１８】
請求項７記載の流通方法は、商品を流通させる流通方法であって、提供希望者が提供を希望する商品の仕様、およびこの商品の購入を希望する購入希望者の購入条件に適合させた際におけるこの商品の販売条件に関する情報を掲示する情報掲示手段を具備し、この情報掲示手段にて販売事業者から提供された情報を得た前記購入希望者から前記商品の購入希望および購入条件が前記販売事業者へと表明された後に、この販売事業者が前記提供希望者から前記商品を購入し、この提供希望者から購入した前記商品を前記購入条件に適合させて、この商品を前記販売事業者が前記購入希望者に販売するものである。
【００１９】
そして、提供希望者が提供を希望する不要となった商品の仕様、およびこの商品の購入を希望する購入希望者の購入条件に適合させた際におけるこの商品の販売条件に関する情報を販売事業者が情報掲示手段にて提供する。この後、この情報掲示手段により販売事業者から提供された情報を得た購入希望者から商品の購入希望および購入条件が販売事業者へと表明されると、この商品を提供希望者から販売事業者が購入する。さらに、この商品を提供希望者の購入条件に適合させて販売事業者が提供希望者に販売する。したがって、提供希望者が提供を希望する商品を購入条件に適合させる、一般的に専門的な知識や経験を有する販売事業者によって情報提供手段が提供されるとともに、購入希望者からの商品の購入希望および購入条件が販売事業者へと表明されるので、この情報提供手段に掲示された商品を購入条件に適合させて安心して販売事業者を介して提供希望者から購入できる。このため、提供希望者が提供を希望する不要となった商品がより効率良く流通する。
【００２０】
請求項８記載の流通方法は、請求項７記載の流通方法において、提供希望者から購入した商品を少なくとも点検、整備、修理および改造のいずれかをして、この商品を購入条件に適合させるものである。
【００２１】
そして、提供希望者から購入した商品を少なくとも点検、整備、修理および改造のいずれかをして、この商品を購入条件に適合させるので、購入希望者が購入を希望する商品の仕様と、提供を希望する商品の仕様とが異なる場合であっても、この商品を少なくとも点検、整備および改造のいずれかをして購入条件に適合させてから販売できる。よって、この商品の購入を希望する購入希望者の枠を大きくできるとともに、この商品をより満足する仕様にできる。
【００２２】
請求項９記載の流通方法は、請求項７または８記載の流通方法において、商品の仕様および販売条件に関する情報を、ネットワークを介して情報掲示手段にて掲示するものである。
【００２３】
そして、商品の仕様および販売条件に関する情報を情報掲示手段にてネットワークを介して掲示させることにより、これら商品の仕様および販売条件に関する情報をより確実かつ迅速に購入希望者に提供できるので、提供希望者が提供を希望する商品がより効率良く流通する。
【００２４】
請求項１０記載の流通方法は、請求項７ないし９いずれか記載の流通方法において、購入希望者へと提供する商品の保証に関する情報を情報掲示手段にて掲示するものである。
【００２５】
そして、購入希望者へと販売する商品の保証に関する情報を情報掲示手段にて掲示することにより、購入希望者の購入条件に商品を適合させる販売事業者によって商品が保証されるので、情報提供手段に掲示された商品を安心して販売事業者を介して提供希望者から購入できる。このため、提供希望者が提供を希望する商品がより効率良く流通する。
【００２６】
請求項１１記載の流通方法は、請求項７ないし１０いずれか記載の流通方法において、商品は、遊休ポンプであるものである。
【００２７】
そして、多種多様の仕様が存在する遊休ポンプを商品とすることにより、この遊休ポンプの仕様を購入希望者の購入条件に適合させて販売できるので、この遊休ポンプの購入を希望する購入希望者の枠が大きくでき、この遊休ポンプが効率良く流通する。
【００２８】
【発明の実施の形態】
以下、本発明の一実施の形態の流通システムの構成を図１および図２を参照して説明する。
【００２９】
図１および図２において、１は流通システムで、この流通システム１は、不要となった商品、特に遊休されているポンプ、すなわち遊休ポンプをインターネットなどのコンピュータネットワークを用いて市場において流通させる。なお、この遊休ポンプは、リサイクルさせたい遊休ポンプを所有している提供希望者である提供者が提供を希望するものである。また、この遊休ポンプは、提供事業者である販売事業者を介して提供者から、中古品でもよいから欲しいという、遊休ポンプの購入を希望する購入希望者である利用者へと販売される。
【００３０】
さらに、この遊休ポンプとしては、産業用のポンプ、特にケミカル用のポンプなどである。また、この遊休ポンプは、使用される工場やプラントなどの廃却や製法の転換などにより生じたものや、予備品として製作された新品同様のものなどを含んでいる。さらに、販売事業者は、これら遊休ポンプを製造したポンプ製造業者や、これら遊休ポンプの点検、整備、修理および改造などが可能なポンプ修理業者などである。
【００３１】
そして、この流通システム１は、情報掲示手段としてのＷｅｂサーバ（ウェブサーバ）２を備えている。このＷｅｂサーバ２は、ＣＰＵなどのハードウェアおよびプログラムなどのソフトウェアなどにて構成されている。また、このＷｅｂサーバ２には、複数の提供者が所有する提供者端末３がインターネットなどのコンピュータネットワークを介してそれぞれ接続可能となっている。さらに、このＷｅｂサーバ２には、複数の利用者が所有する利用者端末４がインターネットなどのコンピュータネットワークを介してそれぞれ接続可能となっている。
【００３２】
また、このＷｅｂサーバ２は、管理端末５を備えている。この管理端末５は、複数の提供者端末３から入力されて登録される遊休ポンプの製造番号などの仕様や、使用状況、買取希望価格などの売買条件などの下取り情報に関する電子データを管理する。また、この管理端末５は、複数の提供者が所有する遊休ポンプの仕様および使用状況などを掲示して公開するインターネット上のＷｅｂサイトとしてのホームページを構築するとともに、このホームページを更新させる。
【００３３】
ここで、この管理端末５にて構築されたホームページは、販売事業者により管理されて提供されている。また、このホームページには、提供者が販売事業者に提供する遊休ポンプの仕様および使用状況などを基にして、改造により取り得る仕様の範囲などの情報が付加されている。さらに、このホームページには、各遊休ポンプを取り得る仕様の範囲内で必要に応じて点検、整備、修理あるいは改造などを施した際の、この遊休ポンプの提供条件としての販売条件に関する情報が掲示されている。ここで、これら遊休ポンプは、利用者端末４から入力された購入条件に適合させるために、点検、整備、修理あるいは改造などが施される。また、利用者端末４から入力された購入条件は、利用者端末４から入力されて購入希望の意志が表明された際に合わせて入力される。
【００３４】
より具体的に、このホームページには、利用者端末４からのＷｅｂブラウザを用いたアクセスにより入力が可能となる申し込みフォームが掲示されている。そして、この申し込みフォームには、利用者端末４からのアクセスによって、任意の遊休ポンプの指定である購入希望や、この遊休ポンプの希望する仕様などの購入条件の設定などの入力が可能である。
【００３５】
さらに、このホームページには、このホームページに掲載された各遊休ポンプを販売事業者が利用者の購入条件に適合させてから販売する際の販売条件に関する情報が掲示されている。また、このホームページには、このホームページに掲載された各遊休ポンプの納期に関する情報が掲示されている。なお、この納期とは、各遊休ポンプの購入希望が申し込みフォームに入力されてから、これら各遊休ポンプを各提供者から購入した後に、これら各遊休ポンプを利用者端末４から入力された購入条件に適合させて納品するまでの期間である。
【００３６】
一方、管理端末５には、この管理端末５にて管理される電子データや、販売事業者により提供されるホームページなどを蓄積して記憶する記憶手段としてのデータベース６が接続されている。このデータベース６には、購入募集手段としてのアクセス手段であるターミナルサーバ７が接続されている。このターミナルサーバ７は、複数の利用者端末４からのインターネットなどのコンピュータネットワークを介した管理端末５へのアクセスを可能とする。
【００３７】
さらに、このターミナルサーバ７は、利用者端末４からのアクセスに応じて、データベース６に記憶させた各遊休ポンプの仕様や使用状況などの情報に関するの電子データを販売事業者にて提供されるホームページに掲示させる情報掲示手段である。また、このターミナルサーバ７は、各遊休ポンプの販売価格に関する情報などの電子データを販売事業者のホームページに掲示させる。ここで、これら各遊休ポンプの販売価格とは、これら各遊休ポンプを点検、整備、修理あるいは改造などして希望の仕様に変更して適合させた際の販売条件である。
【００３８】
また、このターミナルサーバ７は、販売事業者にて提供されるホームページにアクセスした利用者端末４のモニタに表示される、このホームページの申し込みフォームからの遊休ポンプの購入希望および購入条件の入力を募集する。さらに、このターミナルサーバ７は、販売事業者により提供されるホームページに、このホームページに掲示された遊休ポンプを販売した際に発行する、この販売事業者による遊休ポンプの品質保証に関する情報を掲示させる。
【００３９】
なお、これら提供者端末３および利用者端末４は、パーソナルコンピュータや、ＰＤＦ、携帯電話などのインターネットにアクセス可能なものである。また、管理端末５は、ターミナルサーバ７に蓄積されたインターネット上のホームページの更新や修正が可能なパーソナルコンピュータなどである。
【００４０】
次に、遊休ポンプの流通方法について図２を参照して説明する。
【００４１】
はじめに、販売事業者は、遊休ポンプを所有する複数の提供者による提供者端末３からの販売事業者のホームページへのアクセスを募集する。そして、これら提供者から提供される各遊休ポンプの仕様や、使用状況、希望買取金額などの売買条件、さらには各提供者の電子メールアドレスなどの各提供者に関する情報などをホームページ上の受け付けフォームに入力させて、これら遊休ポンプの登録を受け付ける。
【００４２】
このとき、遊休ポンプを所有する提供者の募集は、販売事業者のホームページ上で募集するに留まらず、販売事業者による通常の営業活動や、ポンプを修理などするために客先の企業や工場などを訪れたときにもすることができる。
【００４３】
次いで、この販売事業者のホームページに、このホームページに登録された各遊休ポンプの仕様や使用状況に関する情報を掲示して公開するとともに、これら遊休ポンプの改造などにより取り得る仕様の範囲に関する情報や、これら各遊休ポンプを改造などにより取り得る仕様の範囲内で点検、整備、修理あるいは改造した際の販売条件に関する情報を掲示して公開する（ステップ１）。
【００４４】
さらに、この販売事業者のホームページに、このホームページの申し込みフォームに各遊休ポンプの購入希望が入力されてこの遊休ポンプを利用者に納品するまでの納期に関する情報を掲示して公開するとともに、これら各遊休ポンプの販売時の販売事業者による品質保証に関する情報を掲示して公開する。
【００４５】
この状態で、この販売事業者のホームページに掲示された各遊休ポンプの購入を希望する利用者による利用者端末４からのホームページへのアクセスを募集する。同時に、このホームページに掲示された各遊休ポンプのいずれかの購入を希望する利用者に対して利用者端末４からのホームページの申し込みフォームへのアクセスを募集する（ステップ２）。
【００４６】
このとき、このホームページに掲示された遊休ポンプの購入を希望する利用者の募集は、このホームページへの利用者端末４からのアクセスを待つばかりではなく、販売事業者が販売する新品のポンプの購入を希望する者に対して遊休ポンプの流通システムを紹介して、利用者とすることもできる。
【００４７】
そして、この販売事業者のホームページに掲示されたいずれかの遊休ポンプの購入を希望する利用者による利用者端末４からのＷｅｂブラウザを用いたホームページへのアクセスにより、このホームページの申し込みフォームに所定の各遊休ポンプの購入希望や、この遊休ポンプの購入条件の設定、この利用者の電子メールアドレスなどの利用者に関する所定の情報を入力させて、この利用者と販売事業者との間で所定の遊休ポンプに関する売買契約を成立させる（ステップ３）。
【００４８】
このとき、販売事業者は、利用者端末４から入力された購入条件に係る遊休ポンプの仕様と、この利用者端末４からの入力により指定された遊休ポンプとに基づいて、この遊休ポンプの販売価格および納期を決定して、インターネットを介して管理端末５から利用者端末４へと電子メールなどを用いて通知して利用者との売買契約を締結させる。
【００４９】
ここで、利用者端末４からの入力により指定された遊休ポンプ以外に、この利用者端末４から入力された購入条件に対してより適した遊休ポンプが販売事業者のホームページに登録されている場合には、この販売事業者自身が管理端末５から利用者端末４へと電子メールなどを送信するなどして、この遊休ポンプを利用者に紹介することもできる。
【００５０】
この後、このステップ３にて所定の遊休ポンプの売買契約が成立した場合には、この遊休ポンプに関するホームページ上の売買情報を更新するとともに、この遊休ポンプを所有する提供者の提供者端末３に対して、この遊休ポンプを購入する旨を記載した電子メールを管理端末５からインターネットを介して送付などして、この遊休ポンプを販売事業者が提供者から購入する（ステップ４）。
【００５１】
このとき、販売事業者は、売買契約が成立した遊休ポンプを所有する提供者が予めホームページ上に入力した希望買取価格よりも少しプラスした価格、あるいは、この希望買取価格よりも少しマイナスした薄価な価格で、この遊休ポンプを提供者から買い取ることもできる。
【００５２】
そして、この販売事業者は、利用者端末４からホームページ上の申し込みフォームに入力された遊休ポンプの購入条件に基づいて、この遊休ポンプの仕様が購入条件に係る仕様に適合しているか否かを点検して、この購入条件に遊休ポンプを適合させるために、この遊休ポンプの整備、修理あるいは改造が必要か否かを確認する（ステップ５）。
【００５３】
このとき、売買契約の購入条件に適合させるために遊休ポンプの整備、修理あるいは改造などするかの点検以外にも、この遊休ポンプの消耗部品の交換などの整備が必要か否かも販売事業者が確認する。
【００５４】
この後、ステップ５での点検により、所定の遊休ポンプが購入条件に合致しておらず、この購入条件に適合させるために所定の遊休ポンプの整備、修理あるいは改造が必要な場合には、この遊休ポンプを販売事業者が必要に応じて整備、修理あるいは改造を施して、この遊休ポンプの仕様を利用者の販売条件に適合させる（ステップ６）。
【００５５】
次いで、このステップ６により整備、修理あるいは改造などして所定の遊休ポンプの仕様を購入条件に適合させた場合や、ステップ５の点検により提供者から購入した遊休ポンプが購入条件に適合していて、この遊休ポンプの整備、修理あるいは改造などが不要であった場合には、この遊休ポンプを利用者に対して発送などして納品して販売を完了させる（ステップ７）。
【００５６】
上述したように、上記一実施の形態によれば、一般に産業用のポンプ、特にケミカル用のポンプにおいては、多岐にわたる要求項目があり、個別の要求項目に沿ってそれぞれのポンプが製作されていることが多い。このため、これらポンプを使用する使用者が何らかの理由で遊休ポンプを所有していることが多く、これら遊休ポンプの単純な転用が容易ではないから、これら遊休ポンプを有効に活用できないで放置している場合がある。
【００５７】
また、これら遊休ポンプは、これら遊休ポンプが使用されていたプラントの廃却や製法の転換などにより生じるが、これら遊休ポンプとしては、予備品として製作された新品同様のものも少なからず存在する。そして、これら新品同様の遊休ポンプは、これらポンプがいわゆる汎用品ではないため、不慮の際を考慮して予備品として準備されていたものである場合が多い。
【００５８】
近年、資源の有効活用やごみの削減などの観点からリサイクルに対する関心が高まっている。産業用機械においても中古品の販売などといったリサイクルは珍しいことではなくなってきた。しかしながら、産業用のポンプ、特にケミカル用ポンプの分野においてはリサイクルはそれほど行われていない。
【００５９】
理由として、上述のように、これらポンプに対する多岐にわたる仕様項目があり、個別の要求項目に沿ってそれぞれが製作されているためである。具体的に、これらポンプの仕様項目としては、流量、揚程、取扱液、温度あるいは寸法などがある。このため、これらの組合せにより様々な種類のポンプが存在し、仕様項目を満足する利用者を見つけることが容易ではなく、販売事業者が提供者から遊休ポンプを買い取るのにはリスクを伴ってしまう。さらに、この種の産業用のポンプに対しては高い品質保証が求められる場合が多く、一般的な中古市場が形成されづらいという面も存在する。
【００６０】
そこで、遊休ポンプを所有する提供者を販売事業者のホームページで募集して登録させるとともに、このホームページで各提供者から提供される各遊休ポンプの仕様や使用状況に関する情報、これら遊休ポンプの改造などにより取り得る仕様の範囲に関する情報、さらにはこれら各遊休ポンプを取り得る仕様の範囲内で改造などした際の販売条件に関する情報などを掲示して公開する。
【００６１】
そして、このホームページへの利用者のアクセスを募集するとともに、この利用者に対してホームページの申し込みフォームに所定の遊休ポンプの購入希望や購入条件などを入力させて、この利用者と販売事業者との間で所定の遊休ポンプの売買契約を成立させる。この後、売買契約が成立した遊休ポンプを販売事業者が提供者から購入した後、この遊休ポンプを点検して必要に応じて整備、修理あるいは改造などして、この遊休ポンプの仕様を利用者が希望する購入条件に適合させてから、この遊休ポンプを利用者に販売する。
【００６２】
この結果、提供者から提供される遊休ポンプを製造したポンプ製造業者や、これら遊休ポンプの点検、整備、修理および改造などが可能なポンプ修理業者などである、一般的に専門的な知識や経験を有する販売事業者が提供するインターネット上のホームページに、提供者から提供される遊休ポンプを掲示させて、このホームページにて販売事業者と利用者との間での遊休ポンプについての売買契約を締結させる。
【００６３】
このため、この売買契約の締結時に利用者の購入希望に係る遊休ポンプの仕様と、提供者から提供される実際の遊休ポンプの仕様との間に多少相違があっても、この遊休ポンプを改造などして利用者の希望する仕様に対応させることが可能か否かを販売事業者が判断できるとともに、この遊休ポンプを利用者の希望する仕様改造できる。よって、この販売事業者により売買契約が締結された遊休ポンプを利用者が満足する仕様に適合させて販売できる。
【００６４】
したがって、これら遊休ポンプとは関係のない者のホームページにこれら遊休ポンプを掲載して販売する場合に比べ、この販売事業者が有する品質保証が客観的に保証されるので、この販売事業者のホームページに掲示された遊休ポンプを、安心して販売事業者を介して提供者から購入できるとともに、今まで活用されていなかった遊休ポンプをリサイクルさせて販売できる。
【００６５】
また、これら遊休ポンプの仕様および販売条件に関する情報をインターネット上のホームページに掲示させるとともに、このホームページにて提供者からの遊休ポンプの提供や、利用者からの遊休ポンプの購入希望および購入条件の入力を募集した。このため、これら遊休ポンプの仕様および販売条件に関する情報をより確実かつ迅速に利用者に提供できるとともに、これら遊休ポンプの提供や、これら遊休ポンプの購入希望および購入条件の入力の募集を提供者および利用者に対して容易かつ迅速に募集できる。この結果、リサイクルを希望する提供者が所有する遊休ポンプを、効率良く市場において流通でき、これら遊休ポンプを効率良くリサイクルできる。
【００６６】
さらに、販売事業者のホームページに登録された各遊休ポンプの改造などにより取り得る仕様の範囲に関する情報や、これら各遊休ポンプを改造などにより取り得る仕様の範囲内で点検、整備、修理あるいは改造した際の販売条件に関する情報を販売事業者のホームページに掲示して公開させるとともに、専門的な知識や経験を有する販売事業者によって、利用者が希望する購入条件となるように各遊休ポンプを必要に応じて点検、整備、修理および改造などして適合させてから、この遊休ポンプを利用者に販売する。
【００６７】
このため、販売事業者のホームページに登録された遊休ポンプのうちに、利用者が希望する仕様の遊休ポンプが存在しない場合であっても、このホームページに掲示された各遊休ポンプの改造などにより取り得る仕様の範囲に関する情報に基づいて、この遊休ポンプの仕様を所定の仕様に改造する旨の購入条件を入力することにより、これら遊休ポンプに対して専門的な知識や経験を有する販売事業者によって、遊休ポンプが希望する仕様に改造された上で、この遊休ポンプを購入できる。
【００６８】
したがって、これら遊休ポンプに対して専門的な知識や経験を有する販売事業者によって、これら遊休ポンプが必要に応じて点検、整備、修理あるいは改造などされて、取り得る仕様の範囲内において利用者の購入条件に適合させてから購入できる。このため、これら遊休ポンプの購入を希望する利用者の枠を大きくできるとともに、これら遊休ポンプの改造を安心して販売事業者に希望でき、これら遊休ポンプをより利用者が希望する使用に適合させて販売できる。
【００６９】
同時に、これら遊休ポンプに対して専門的な知識や経験を有する販売事業者によって遊休ポンプを、必要に応じて点検、整備、修理あるいは改造などしてから販売することにより、これら遊休ポンプに高い品質保証を付与することが可能となるとともに、この販売事業者が有する品質が客観的に保証される。よって、この販売事業者のホームページに掲示された遊休ポンプを、利用者が希望する購入条件に適合させて安心して販売事業者から購入できる。この結果、多岐にわたる仕様項目があり、個別の要求項目に沿ってそれぞれが製作されている多種多様の仕様が存在する遊休ポンプを、より効率良く市場において流通できるから、これら遊休ポンプをより効率良くリサイクルできる。
【００７０】
さらに、この販売事業者のホームページに掲示された各遊休ポンプについての販売時の販売事業者による品質保証に関する情報を、このホームページに掲示させて公開させたので、このホームページに掲示されている各遊休ポンプが製造者あるいは修理業者である販売事業者により保証された上で購入できるので、これら各遊休ポンプをより安心して利用者が購入できる。
【００７１】
また、販売事業者のホームページの申し込みフォームに利用者が各遊休ポンプの購入希望および購入条件などを入力してから、これら遊休ポンプが購入条件に適合された後に利用者に納品するまでの納期に関する情報を、このホームページに掲示させて公開させた。このため、このホームページに掲示されている各遊休ポンプの納期を踏まえた上で、これら遊休ポンプの購入が可能となる。この結果、これら遊休ポンプをより安心して利用者が購入できるとともに、これら遊休ポンプが使用されるプラントの建設が完了する時期に納期を合わせて、これら遊休ポンプを購入できる。
【００７２】
さらに、販売事業者のホームページへの利用者による所定の遊休ポンプに対しての購入希望および購入条件が入力されて、これら販売事業者と利用者との間で売買契約が成立してから、この売買契約が成立した遊休ポンプを販売事業者が提供者から購入する。このため、この販売事業者が提供者から遊休ポンプを買い取ることにより伴う、例えば利用者から買い取った遊休ポンプが売れずに不良在庫となるなどいったリスクを回避できる。
【００７３】
なお、上記一実施の形態では、リサイクルさせたい遊休ポンプを所有する提供者の募集、これら提供者が所有する遊休ポンプの仕様や使用状況に関する情報の登録、これら登録された遊休ポンプの仕様や使用状況に関する情報の公開、および、これら遊休ポンプの購入を希望する利用者からの購入希望の募集のそれぞれを、販売事業者が提供するインターネット上のホームページでしたが、このホームページへのアクセスを可能とするインターネット以外の他のコンピュータネットワークを用いても上記一実施の形態と同様の作用効果を奏することができる。
【００７４】
さらに、提供を希望する遊休ポンプを所有する提供者の募集や、これら提供者が所有する遊休ポンプの仕様や使用状況に関する情報の登録、これら登録された遊休ポンプの購入を希望する利用者からの購入希望の募集のそれぞれを、電話、ファックスあるいは電子メールなどで受け付けることもできる。また、販売事業者に対して登録された遊休ポンプの仕様や使用状況などに関する情報を、雑誌や新聞などの刊行物に掲示させて公開することもできる。
【００７５】
また、販売事業者のホームページ上で登録された遊休ポンプを、最も高額での購入を希望する利用者に販売するオークション形式で販売することもできる。
【００７６】
さらに、上記一実施の形態では、商品として不要となった遊休ポンプについて説明したが、リサイクルを希望する利用者が存在する商品であれば、新品および中古品を問わず、点検、整備、修理あるいは改造が必要な商品、例えばコンピュータや工作機械、家電製品などであっても、対応させて用いることができる。
【００７７】
【発明の効果】
請求項１記載の流通システムによれば、提供希望者が提供を希望する商品を購入条件に適合させる、一般的に専門的な知識や経験を有する販売事業者によって情報提供手段および購入募集手段が提供されるので、この情報提供手段に掲示された商品を購入条件に適合させて安心して販売事業者を介して提供希望者から購入できるため、提供希望者が提供を希望する不要となった商品をより効率良く流通できる。
【００７８】
請求項２記載の流通システムによれば、請求項１記載の流通システムの効果に加え、購入希望者が購入を希望する商品の仕様と、提供を希望する商品の仕様とが異なる場合であっても、この商品を点検、整備、修理および改造の少なくともいずれかをして購入条件に適合させてから販売できるから、この商品の購入を希望する購入希望者の枠を大きくでき、この商品をより満足する仕様にできる。
【００７９】
請求項３記載の流通システムによれば、請求項１または２記載の流通システムの効果に加え、商品の仕様および販売条件に関する情報を情報掲示手段にてネットワークを介して掲示させることにより、これら商品の仕様および販売条件に関する情報をより確実かつ迅速に購入希望者に提供できるので、提供希望者が提供を希望する商品をより効率良く流通できる。
【００８０】
請求項４記載の流通システムによれば、請求項１ないし３いずれか記載の流通システムの効果に加え、情報掲示手段に掲示された商品の購入希望および購入条件の入力を購入募集手段にてネットワークを介して募集することにより、この商品の購入希望および購入条件の入力の募集が購入希望者に対してより容易かつ迅速になるから、提供希望者が提供を希望する商品をより効率良く流通できる。
【００８１】
請求項５記載の流通システムによれば、請求項１ないし４いずれか記載の流通システムの効果に加え、購入希望者へと販売する商品の保証に関する情報を情報掲示手段にて掲示することにより、購入希望者の購入条件に商品を適合させる販売事業者によって商品が保証されるので、情報提供手段に掲示された商品を安心して販売事業者を介して提供希望者から購入できる。このため、提供希望者が提供を希望する商品をより効率良く流通できる。
【００８２】
請求項６記載の流通システムによれば、請求項１ないし５いずれか記載の流通システムの効果に加え、多種多様の仕様が存在する遊休ポンプの仕様を購入希望者の購入条件に適合させて販売できるので、この遊休ポンプの購入を希望する購入希望者の枠を大きくでき、この遊休ポンプを効率良く流通できる。
【００８３】
請求項７記載の流通方法によれば、提供希望者が提供を希望する商品を購入条件に適合させる、一般的に専門的な知識や経験を有する販売事業者によって情報提供手段が提供されるとともに、購入希望者からの商品の購入希望および購入条件が販売事業者へと表明されるので、この情報提供手段に掲示された商品を購入条件に適合させて安心して販売事業者を介して提供希望者から購入できるため、提供希望者が提供を希望する不要となった商品をより効率良く流通できる。
【００８４】
請求項８記載の流通方法によれば、請求項７記載の流通方法の効果に加え、購入希望者が購入を希望する商品の仕様と、提供を希望する商品の仕様とが異なる場合であっても、この商品を点検、整備、修理および改造の少なくともいずれかをして購入条件に適合させてから販売できるので、この商品の購入を希望する購入希望者の枠を大きくでき、この商品をより満足する仕様にできる。
【００８５】
請求項９記載の流通方法によれば、請求項７または８記載の流通方法の効果に加え、商品の仕様および販売条件に関する情報を情報掲示手段にてネットワークを介して掲示させることにより、商品の仕様および販売条件に関する情報をより確実かつ迅速に購入希望者に提供できるので、提供希望者が提供を希望する商品がより効率良く流通する。
【００８６】
請求項１０記載の流通方法によれば、請求項７ないし９いずれか記載の流通方法の効果に加え、購入希望者へと販売する商品の保証に関する情報を情報掲示手段にて掲示することにより、購入希望者の購入条件に商品を適合させる販売事業者によって商品が保証されるので、情報提供手段に掲示された商品を安心して販売事業者を介して提供希望者から購入でき、提供希望者が提供を希望する商品をより効率良く流通できる。
【００８７】
請求項１１記載の流通方法によれば、請求項７ないし１０いずれか記載の流通方法の効果に加え、多種多様の仕様が存在する遊休ポンプの仕様を購入希望者の購入条件に適合させて販売できるので、この遊休ポンプの購入を希望する購入希望者の枠が大きくでき、この遊休ポンプを効率良く流通できる。
【図面の簡単な説明】
【図１】本発明の流通システムの一実施の形態を示すフローチャートである。
【図２】同上流通システムを示す概略図である。
【符号の説明】
１    流通システム
７    情報掲示手段としての購入募集手段であるターミナルサーバ
【図１】
2004220268.tif 000003
【図２】
2004220268.tif 000004